(57)【要約】【課題】単一光源により道路の長手方向を効率良く照明する。【解決手段】光学レンズ１０は、それぞれ樋状に形成された光の入射面１０１と、扁平・回転楕円体面から形成された光の出射面１０２を有し、光源の光軸に対して対称に配置された同じ形状の一対のレンズユニット１０ａ、１０ａから構成される。レンズユニット１０ａの基本形である扁平・回転楕円体は、長軸と短軸からなる楕円の長軸を回転軸として得られる回転体を所定の高さに扁平化した形状である。この光学レンズ１０を用いて道路用照明器具を構成する場合は、レンズユニット１０ａ、１０ａを形成する扁平・回転楕円体の各長軸の交点に１個のＬＥＤを設置する。【選択図】図１
2010177028.tif 000002
【特許請求の範囲】
【請求項１】
単一光源からの光を照明対象に拡散して照射する光学レンズであって、
前記単一光源の光軸に対し、対称に対向して配置された一対のレンズユニットから形成され、
前記レンズユニットは、
前記単一光源の光が入射する入射面と、入射した光を所定の光路を経て外部に放射する出射面と、を有し、
前記出射面は、
前記単一光源の光軸に交差する長軸を回転軸とする回転楕円体を、前記長軸および短軸と直交する方向に扁平させて得られる扁平・回転楕円体面から形成され、
前記入射面は、
前記扁平・回転楕円体を、前記単一光源の光軸に直交する方向に、所定の凹曲面で突き出し切断する面から形成される、
ことを特徴とする光学レンズ。
【請求項２】
請求項１に記載の光学レンズであって、
前記レンズユニットの対向部分は、肉厚に形成される、
ことを特徴とする光学レンズ。
【請求項３】
請求項１又は２に記載の光学レンズであって、
前記レンズユニットは、
前記回転軸が、前記単一光源の光軸方向に、開き角度１２０〜１８０°を有して配置される、
ことを特徴とする光学レンズ。
【請求項４】
請求項１ないし３のいずれかに記載の光学レンズと、
前記扁平・回転楕円体の長軸の交差点に設置された単一光源と、
を備える、
ことを特徴とする道路用照明器具。
【請求項５】
請求項４に記載の道路用照明器具であって、
前記単一光源の光軸に逆Ｖ字状の反射板を備える、
ことを特徴とする道路用照明器具。
【請求項６】
請求項４又は５に記載の道路用照明器具であって、
前記単一光源は、
発光ダイオードである、
ことを特徴とする道路用照明器具。
【請求項７】
単一光源からの光を照明対象に拡散して照射する光学レンズであって、
前記単一光源の光軸に対し、対称に対向して配置された一対のレンズユニットから形成され、
前記レンズユニットは、
前記単一光源の光が入射する入射面と、入射した光を所定の光路を経て外部に放射する出射面と、を有し、
前記出射面は、
前記単一光源の光軸に交差する軸を回転軸とする偶数次曲線体を、前記単一光源の光軸方向に扁平させて得られる偶数次曲線の扁平・回転偶数次曲線体面から形成される
ことを特徴とする光学レンズ。
【発明の詳細な説明】
【技術分野】
【０００１】
本発明は、道路の長手方向を効率よく照明するために使用される光学レンズ、及び道路用照明器具に関する。
【背景技術】
【０００２】
従来、道路の側縁にほぼ等間隔に立設したポールに取り付けられ、道路面を照明する道路用照明器具が知られている。この道路用照明器具には、白熱ランプや蛍光ランプ、水銀灯を光源とする街路灯や防犯灯、ナトリウムランプを使用してトンネル内を照明するトンネル灯などがある。
【０００３】
図２２は、従来の街路灯を示す図であり、（ａ）は外観図、（ｂ）はＡ−Ａ’断面図である。この街路灯８は、細長い円筒状光源８１が反射板８２とプリズム８３からなる器具本体に対してほぼ水平に装着され、円筒状光源８１の光が反射板８２とプリズム８３によって道路の長手方向に反射、屈折して道路面を照明する。
【０００４】
道路用照明器具は、その設置高さの３〜４倍程度の設置間隔で用いられることが多く、それ以上に設置間隔が広くなると、照明器具の直下は明るく、照明器具と照明器具の中間は暗くなって、道路長手方向の照度均斉度が低下する。
【０００５】
この問題を解決するために、複数の発光ダイオード（以下、「ＬＥＤ」と略記する）を光源として用い、それぞれ異なる方向を照射するようにした道路用照明器具の例がある（例えば、特許文献１参照）。
【０００６】
図２３に示す道路用照明器具９は、それぞれα、β、α’の各方向を照射するように配置された３個のＬＥＤ９１〜９３と、ＬＥＤ９１〜９３にそれぞれ近接して設けられたレンズ９４〜９６から構成されている。ＬＥＤ９１〜９３は、図２４に示すように、それぞれの照射方向に対応する道路Ｒの範囲Ｓ〜Ｕを照明する。これにより、道路長手方向の照度均一性が向上する。
【０００７】
しかしながら、この例によると、道路用照明器具で使用する光源の個数が増え、部品点数の増加によるコスト上昇と、照明器具の大形化、更に故障率の増加など新たな課題が発生してしまう。
【先行技術文献】
【特許文献】
【０００８】
【特許文献１】特開２００８-２１０６５５号公報
【発明の概要】
【発明が解決しようとする課題】
【０００９】
本発明は、上記の事情に鑑みてなされたもので、単一光源により道路の長手方向を効率良く照明することのできる光学レンズ、及び小形・低価格、且つ信頼性の高い道路用照明器具を提供することを目的とする。
【課題を解決するための手段】
【００１０】
本発明の光学レンズは、単一光源からの光を照明対象に拡散して照射する光学レンズであって、前記単一光源の光軸に対し、対称に対向して配置された一対のレンズユニットから形成され、前記レンズユニットは、前記単一光源の光が入射する入射面と、入射した光を所定の光路を経て外部に放射する出射面と、を有し、前記出射面は、前記単一光源の光軸に交差する長軸を回転軸とする回転楕円体を、前記長軸および短軸と直交する方向に扁平させて得られる扁平・回転楕円体面から形成され、前記入射面は、前記扁平・回転楕円体を、前記単一光源の光軸に直交する方向に、所定の凹曲面で突き出し切断する面から形成されることを特徴とするものである。
【００１１】
この構成により、単一光源を使用する道路用照明器具において、道路の長手方向を均一に効率良く照明することができる。
【００１２】
また、本発明は、上記の光学レンズにおいて、前記レンズユニットの対向部分は、肉厚に形成されることを特徴とするものを含む。
【００１３】
この構成により、光学レンズを樹脂成型によって製造する際に、硬化むらやひけによる形状の狂いを防止することができ、精度の高い光学レンズを安価に提供できる。
【００１４】
更に、本発明は、上記の光学レンズにおいて、前記レンズユニットは、前記レンズユニットは、前記回転軸が、前記単一光源の光軸方向に、開き角度１２０〜１８０°を有して配置されることを特徴とするものを含む。
【００１５】
この構成により、単一光源を使用する道路用照明器具において、道路の長手方向を効率良く照明することができる。また、道路用照明器具の設置間隔を拡げることが可能となり、省資源化および省エネルギー化を図ることができる。
【００１６】
本発明の道路用照明器具は、上記の光学レンズと、前記扁平・回転楕円体の長軸の交差点に設置された単一光源と、を備えることを特徴とするものである。
【００１７】
この構成により、単一光源を使用しつつ、道路の長手方向を効率良く照明することができると共に、小形・低価格、且つ信頼性の高い道路用照明器具を提供することが可能となる。
【００１８】
また、本発明は、上記の道路用照明器具において、前記単一光源の光軸に逆Ｖ字状の反射板を備えることを特徴とするものを含む。
【００１９】
この構成により、道路用照明器具の直下近傍、及び長手方向の遠方に渡って、路面における照度均斉度を高めることができる。
【００２０】
更に、本発明は、上記の道路用照明器具において、前記単一光源は、発光ダイオードであることを特徴とするものである。
【００２１】
この構成により、小形・低価格、且つ信頼性の高い道路用照明器具を提供できる。
【００２２】
本発明の光学レンズは、単一光源からの光を照明対象に拡散して照射する光学レンズであって、前記単一光源の光軸に対し、対称に対向して配置された一対のレンズユニットから形成され、前記レンズユニットは、前記単一光源の光が入射する入射面と、入射した光を所定の光路を経て外部に放射する出射面と、を有し、前記出射面は、前記単一光源の光軸に交差する軸を回転軸とする偶数次曲線体を、前記単一光源の光軸方向に扁平させて得られる偶数次曲線の扁平・回転偶数次曲線体面から形成されることを特徴とするものである。
【００２３】
この構成により、単一光源を使用する道路用照明器具において、道路の長手方向を効率良く照明することができる。
【発明の効果】
【００２４】
本発明によれば、単一光源により道路の長手方向を効率良く照明することのできる光学レンズ、及び小形・低価格、且つ信頼性の高い道路用照明器具を提供できる。
【図面の簡単な説明】
【００２５】
【図１】本発明の実施の形態１に係る光学レンズの外観を示す斜視図
【図２】本発明の実施の形態１に係る光学レンズの基本形となる扁平・回転楕円体の外観を示す斜視図
【図３】本発明の実施の形態１に係る光学レンズの基本形となる扁平・回転楕円体を第３角法によって示す投影図
【図４】本発明の実施の形態１に係る光学レンズの切断・扁平・回転楕円体の外観を示す斜視図
【図５】本発明の実施の形態１に係る光学レンズの切断・扁平・回転楕円体を第３角法によって示す投影図
【図６】本発明の実施の形態１に係る道路用照明器具の概略構成を示す断面図
【図７】本発明の実施の形態１に係る道路用照明器具を設置した場合の照明方向を説明するための模式図
【図８】本発明の実施の形態２に係る光学レンズの外観を示す斜視図
【図９】本発明の実施の形態２に係る道路用照明器具の概略構成を示す断面図
【図１０】本発明に係る実施の形態２において、入射面が平面状である光学レンズの概略構成を示す断面図
【図１１】本発明に係る実施の形態２において、入射面が凸面状である光学レンズの概略構成を示す断面図
【図１２】本発明に係る実施の形態２において、出射面に成型のための抜き勾配を形成した光学レンズを備える道路用照明器具の概略構成を示す断面図
【図１３】本発明に係る実施の形態２において、フランジを有する光学レンズの概略構成を示す断面図
【図１４】本発明に係る実施の形態２において、出射面が扁平・回転楕円体と同じ曲率を有する扁平・回転双曲面体からなる光学レンズの概略構成を示す断面図
【図１５】（ａ）本発明の実施の形態２に係る光学レンズにおいて、扁平・回転楕円体の短軸方向Ｏ−Ｏ’断面における光路を示す図  （ｂ）本発明の実施の形態２に係る光学レンズにおいて、扁平・回転楕円体の短軸方向Ｂ−Ｂ’断面における光路を示す図  （ｃ）本発明の実施の形態２に係る光学レンズにおいて、扁平・回転楕円体の短軸方向Ｅ−Ｅ’断面における光路を示す図
【図１６】本発明の実施の形態３に係る道路用照明器具の概略構成を示す断面図
【図１７】本発明の実施の形態３に係る光学レンズの形状を第３角法によって示す投影図
【図１８】本発明の実施の形態３に係る光学レンズの配光特性を示す図
【図１９】本発明の実施の形態４に係る道路用照明器具の概略構成を示す断面図
【図２０】本発明の実施の形態４に係る道路用照明器具において、反射板がない場合の作用を説明するための図
【図２１】本発明の実施の形態４に係る照明器具において、変形例の概略構成を示す斜視図
【図２２】（ａ）従来の道路用照明器具の外観を示す斜視図  （ｂ）従来の道路用照明器具の概略構成を示す断面図
【図２３】光源にＬＥＤを使用する従来の道路用照明器具の概略構成を示す断面図
【図２４】従来の照明器具を道路に設置した場合の照明方向を説明するための模式図
【発明を実施するための形態】
【００２６】
以下、本発明の実施の形態に係る光学レンズ、及び道路用照明器具について、図面を用いて説明する。なお、本発明の実施の形態に係る光学レンズは、アクリル樹脂、ポリカーボネート樹脂、シリコン樹脂、ポリオレフィン樹脂、及びガラス等、光源の発する光の放射スペクトルに対して透明な材料が使用可能である。
【００２７】
（実施の形態１）
図１は、本発明の実施の形態１に係る光学レンズの外観を示す斜視図である。同図に示すように、本実施の形態の光学レンズ１０は、それぞれ樋状に形成された光の入射面１０１と、扁平・回転楕円体面から形成された光の出射面１０２を有し、後述する光源の光軸に対して対称に配置された同じ形状の一対のレンズユニット１０ａ、１０ａから構成される。
【００２８】
光学レンズ１０を構成するレンズユニット１０ａは、以下に説明するように設計される。
【００２９】
図２は、レンズユニット１０ａの基本形である扁平・回転楕円体の外観を示す斜視図、図３は、扁平・回転楕円体を第３角法によって示す投影図である。
【００３０】
図２及び図３に示すように、扁平・回転楕円体１０ｂは、長軸Ｘ、短軸Ｙからなる楕円の長軸Ｘを回転軸として得られる回転体を高さＺに扁平化した形状である。
【００３１】
次に、このようにして得られた扁平・回転楕円体１０ｂを短軸Ｙに平行な方向に所定の凹曲面で突き出し切断する。図４は、このようにして得られた切断・扁平・回転楕円体の外観を示す斜視図、図５は、切断・扁平・回転楕円体１０ｃを第３角法によって示した投影図である。
【００３２】
図４及び図５において、切断・扁平・回転楕円体１０ｃの突き出し切断された面は光を入射する入射面１０１、他方の面は光を拡散して外部に放射する出射面１０２となる。
【００３３】
次いで、図５に示すように、切断・扁平・回転楕円体１０ｃをその短軸Ｙと平行なＧ−Ｇ’面で切断する。このようにして形成された切断・扁平・回転楕円体がレンズユニット１０ａであり、これの２つをＧ−Ｇ’面で密着するように対向して配置することで、図１に示した光学レンズ１０が得られる。
【００３４】
図６は、本発明の実施の形態１に係る道路用照明器具の概略構成を示す断面図である。同図において、この道路用照明器具１は、光学レンズ１０と、ＬＥＤ５０を有する構成である。
【００３５】
光学レンズ１０は、ＬＥＤ５０から放射される光が一方のみであるので、光が入射しない破線Ｈ−Ｈ’より上の部分を平面状にカットしてある。これにより、光学レンズ１０自体を小型化、軽量化している。
【００３６】
また、光学レンズ１０における符号Ｏ−Ｏ’及びＰ−Ｐ’は、２つのレンズユニット１０ａ、１１それぞれの基本形である扁平・回転楕円体の長軸Ｘを示すものであり、ＬＥＤ５０は、線分Ｏ−Ｏ’及びＰ−Ｐ’の各延長線の交点に設置される。
【００３７】
次に、図６を参照しながら、本発明の実施の形態１に係る光学レンズ１０の機能について説明する。
【００３８】
ＬＥＤ５０から放射され、入射面１０１における個所Ａ〜Ｂの間に入射した光は、この断面内でＡ、Ａ’、Ｂ、Ｂ’で囲まれる部分が凸レンズの形状をしているので、矢印αで示す線分Ｏ−Ｏ’の延長線の方向に集光される。なお、矢印α’で示す方向は、ＬＥＤ５０の光軸に対して矢印αで示す方向と対称であり、ＬＥＤ５０から放射された光は矢印α’で示す線分Ｐ−Ｐ’の延長線の方向にも同様に集光される。
【００３９】
一方，入射面１０１の個所Ｃ〜Ｄの間に入射した光は、Ｃ、Ｃ’、Ｄ、Ｄ’ で囲まれる部分が凹レンズの形状をしているので，矢印βで示す鉛直方向の両側に拡散される。
【００４０】
これらのことから、本実施の形態の道路用照明器具１を、図７に示すような道路Ｒに設置すると、α及びα’方向は道路の長手方向の遠く、例えばＳ及びＳ’の領域をそれぞれ照明し、道路用照明器具１の直下を指すβの方向へは、拡散された光が路面Ｔの領域に照射される。なお、道路用照明器具１の直下近傍の路面は、光が拡散されるとはいえ、照射距離が短いので照度は確保される。従って、１個のＬＥＤ光源により道路の長手方向の広い範囲を効率良く照明することができる。
【００４１】
（実施の形態２）
図８は、本発明の実施の形態２に係る光学レンズの外観を示す斜視図である。同図に示すように、本実施の形態の光学レンズ２０は、それぞれ樋状に形成された光の入射面２０１と、扁平・回転楕円体面から形成された光の出射面２０２を有し、後述する光源の光軸に対して対称に配置された同じ形状の一対のレンズユニット２０ａ、２０ａから構成される。
【００４２】
レンズユニット２０ａは、前述した実施の形態１と同様に、切断・扁平・回転楕円体１０ｃから構成される。本実施の形態の光学レンズ２０が実施の形態１の光学レンズ１０と異なる点は、一対のレンズユニット２０ａ、２０ａの対向部分を肉厚に形成したことである。
【００４３】
このように、一対のレンズユニット２０ａ、２０ａの対向部分を肉厚に形成することで、実施の形態１の光学レンズ１０に比較して対向部分における配光の連続性が良好となる。
【００４４】
また、光学レンズ２０を樹脂成形によって製造する場合に、冷却時の温度分布によって発生する硬化むらを回避することができ、屈折率の不均一や樹脂の硬化に伴うひけによって発生する設計形状と製造形状のずれ等を防止することができ、光学レンズ２０を高精度で製造することが可能となる。
【００４５】
図９は、本発明の実施の形態２に係る道路用照明器具の概略構成を示す断面図である。同図において、道路用照明器具２は、光学レンズ２０とＬＥＤ５０を有する構成である。なお、実施の形態１における図６と同様の構成については、同一の符号を付して説明を簡略に、若しくは省略する。
【００４６】
光学レンズ２０は、ＬＥＤ５０から放射される光が一方のみであるので、実施の形態１と同様に、光が入射しない部分を平面状にカットしてある。これにより、光学レンズ２０を小型化、軽量化している。
【００４７】
なお、光学レンズ２０は、光の入射面２０１を突き出し樋状に形成しているが、これに限ることはなく、例えば図１０に示すように、平面状となる入射面２０３に形成してもよい。また、図１１に示すように、凸状となる入射面２０４に形成することも可能である。
【００４８】
更に、図１２に示すように、扁平・回転楕円体面のＶ部分を変形させてテーパをつけ、樹脂成型の際の抜き勾配とすることによって、加工性を向上させた形状としてもよい。これによると、線分Ａ’− Ａ’’で示すように、光の方向がα方向の上方に僅かにずれるが、ＬＥＤ５０から放射される光は指向性があり、Ａ方向への輝度は小さいので、照明に及ぼす影響は軽微である。
【００４９】
また、図１３に示すように、上部平面部を左右に延伸してフランジ２０５を形成した形状にしてもよい。フランジ２０５には、丸穴ないしＵ字状切欠きからなる取付穴２０６が設けられ、光学レンズ２４を照明器具本体に取り付けるために使用される。
【００５０】
図１４は、光学レンズ２０の基本形を扁平・回転楕円体１０ｂに替えて、出射面が同じ曲率を有する双曲線の回転体を扁平させて形成した光学レンズ３０を示す断面図である。このように、出射面の曲率が扁平・回転楕円体１０ａと同じであれば、双曲線に限定されることはなく、放物線などの２次曲線や４次曲線等、更に高次の偶数次曲線にすることも可能である。
【００５１】
次に、図９を参照しながら、本発明の実施の形態２に係る光学レンズ２０の機能について説明する。
【００５２】
ＬＥＤ５０から放射され、入射面２０１における個所Ａ〜Ｂの間に入射した光は、この断面内でＡ、Ａ’、Ｂ、Ｂ’で囲まれる部分が凸レンズの形状をしているので、矢印αで示す線分Ｏ−Ｏ’の延長線の方向に集光される。なお、矢印α’で示す方向は、ＬＥＤ５０の光軸に対して矢印αで示す方向と対称であり、ＬＥＤ５０から放射された光は矢印α’で示す線分Ｐ−Ｐ’の延長線の方向にも同様に集光される。
【００５３】
一方，入射面２０１の個所Ｅ〜Ｄの間に入射した光は、Ｅ、Ｅ’、Ｆ、Ｆ’ で囲まれる部分が凹レンズの形状をしているので，矢印βで示す鉛直方向の両側にやや拡げられて緩やかに拡散される。
【００５４】
図１５（ａ）〜（ｃ）は、光学レンズ２０を構成する扁平・回転楕円体１０ｂの短軸Ｙ方向のＯ−Ｏ’、Ｂ−Ｂ’及びＥ−Ｅ’の各断面における光路を示す図である。なお、Ａ−Ａ’断面は線分Ｏ−Ｏ’に対してＢ−Ｂ’ 断面と対称の関係にあり、光路は同じとなるので、図示を省略する。
【００５５】
図１５（ａ）〜（ｃ）を参照すると、Ｏ−Ｏ’ 断面からＥ−Ｅ’ 断面に向かうにつれて、出射面２０２の曲率半径が大きくなるので、徐々に集光性は低くなるが、いずれもこの断面内で光が集光されていることが分かる。なお、出射面２０２の曲率半径を左右するのは、基本形である扁平・回転楕円体１０ｂの短軸Ｙであり、この短軸Ｙを大きくするとＡ−Ａ’〜 Ｅ−Ｅ’断面における集光性は低下する。
【００５６】
このことから、道路に設置した場合の道路用明器具２は、道路幅方向における照射幅が広がることになる．従って、光学レンズ２０は、扁平・回転楕円体１０ｂの短軸Ｙを、道路用照明器具２を設置する道路の幅に応じて設計する必要がある。
【００５７】
以上のことから、本実施の形態の道路用照明器具１を、図７に示すような道路Ｒに設置すると、α及びα’方向は道路の長手方向の遠く、例えばＳ及びＳ’の領域をそれぞれ照明し、道路用照明器具１の直下を指すβの方向へは、拡散された光が路面Ｔの領域に照射される。
【００５８】
また、β方向は照射面である道路までの距離が短いので、照度が高くなりがちであるが、図９に示すように、βの方向は道路の長手方向に光が拡散するので、道路用照明器具２の直下近傍の照度が抑制され、結果的に道路用照明器具２の近傍から遠方に渡る長手方向路面の照度均斉度を高くすることができる。
【００５９】
（実施の形態３）
図２３に示したように、単一光源を用いる従来の道路用照明器具９では、α、α’方向の開き角は１２０°程度が限界である。通常、道路用照明器具の設置間隔は設置高さの３〜４倍程度で用いられることが多く、α、α’方向の開き角が８０〜１２０°程度の道路用照明器具でも実用的な範囲で路面の照度均斉度を確保することができる。
【００６０】
しかしながら、省資源及び省エネルギーの観点からは、道路用照明器具の取り付け間隔を更に拡げることが望まれる。また、防犯灯などの照明器具においては、設置間隔が設置高さの４倍以上であることが多く、社団法人日本防犯設備協会によって定められた推奨照度基準を満足しないものもあり、照射光の広がりが不足している場合が多い。本発明の実施の形態３に係る道路用照明器具は、これらの課題に対応するものである。
【００６１】
図１６は、本発明の実施の形態３に係る道路用照明器具の概略構成を示す断面図である。図１６において、道路用照明器具３は、光学レンズ４０と、ＬＥＤ５０を有する構成である。
【００６２】
光学レンズ４０は、相対向するレンズユニットを構成する扁平・回転楕円体１０ｂの長軸上の線分Ｏ−Ｏ’、Ｐ−Ｐ’の開き角θが１２０〜１８０°になるように構成されている。
【００６３】
図１７は、本発明の実施の形態３に係る光学レンズを第３角法によって示す投影図である。同図において、光学レンズ４０は、基本形である扁平・回転楕円体１０ｂの長軸Ｘ、短軸Ｙおよび扁平高さＺの比が、１．５６：１．２１：１であり、長軸の開き角が１８０°である。
【００６４】
図１８は、光学レンズ４０の配光特性を示す図である。同図において、実線は道路の長手方向の配光特性を、破線は道路幅方向の配光特性をそれぞれ示している。
【００６５】
図１８を参照すると、この光学レンズ４０を用いて構成した道路用照明器具３により、道路の長手方向遠方まで均一な照明光を照射できていることが分かる。
【００６６】
（実施の形態４）
図１９は、本発明の実施の形態４に係る道路用照明器具の概略構成を示す断面図である。本実施の形態の道路用照明器具４は、実施の形態３における光学レンズ４０と、ＬＥＤ５０と、反射板６０を有する構成である。
【００６７】
反射板６０は、ＬＥＤ５０の発光部より狭小、且つ逆Ｖ字形に形成され、ＬＥＤ５０の直下に設置される。これにより、ＬＥＤ５０で発光した光は、反射板６０で反射された後、光路Ｉ−Ｉ’を経て道路の長手方向の遠くまで到達する。
【００６８】
一方、ＬＥＤ５０から鉛直方向に放射された光の一部は反射板６０によって遮られる。しかし、反射板６０がＬＥＤ５０の発光部より狭小であるため、脇から洩れた光は光路Ｊ−Ｊ’を経て道路用照明器具４の直下近傍を照明する。
【００６９】
道路用照明器具４の設置間隔が大きい場合は、道路の長手方向へは照明光の光路が非常に長くなる。従って、反射板６０の脇から洩れた一部の光であっても、道路の長手方向遠方の照度に比較して道路用照明器具４の直下近傍のみ照度が不足するということはない。
【００７０】
図２０は、図１９において反射板６０がない場合の道路用照明器具５の概略構成を示す図である。図２０において、光学レンズ４０の入射面４０１はＬＥＤ５０に対して垂直とした方が屈折した光を道路の長手方向のより遠方に向けて照射できるが、入射面４０１の角度γが小さくなれば、ＬＥＤ５０の法線と入射面４０１の角度が平行に近くなるため、ＬＥＤ５０から入射する光束が少なくなり、道路の長手方向の遠方において必要な照度を確保することができない。
【００７１】
図２１は、光学レンズ４０の入射面を形成する空間に一対の側面反射板７０、７０を設けて構成した道路用照明器具６を示す斜視図である。
【００７２】
図２１において、側面反射板７０、７０は、扁平・回転楕円体の短軸方向で相対向して設置される。これにより、グレアを防止することができる。なお、この側面反射板７０、７０をグレアのみをなくす目的で設置する場合には、遮光性と光吸収性を兼ね備えた表面処理を施すが、拡散反射性の表面処理をしたとしても、道路用照明器具６の直下近傍の照度が僅かに上昇するだけで、路面全体の照度分布に大きな変化を与えることはない。従って、側面反射板７０は白色反射塗装などの表面処理であってもよい。
【００７３】
以上説明したように、このような本発明の実施の形態４に係る照明器具によれば、設置間隔を更に拡げても道路の長手方向の遠方まで必要な照度を確保することができるとともに、道路用照明器具の直下近傍における鉛直面照度の不足を回避することが可能であり、歩行者の顔を識別する必要のある防犯灯等に有効である。
【符号の説明】
【００７４】
１、２、３、４、６  道路用照明器具
１０、２０、３０、４０  光学レンズ
１０ａ、２０ａ  レンズユニット
１０ｂ  扁平・回転楕円体
１０ｃ  切断・扁平・回転楕円体
１０１、２０１、２０３、２０４、３０１、４０１  入射面
１０２、２０２  出射面
５０  ＬＥＤ
６０  反射板
７０  側面反射板
【図３】
2010177028.tif 000003
【図５】
2010177028.tif 000004
【図６】
2010177028.tif 000005
【図７】
2010177028.tif 000006
【図９】
2010177028.tif 000007
【図１０】
2010177028.tif 000008
【図１１】
2010177028.tif 000009
【図１２】
2010177028.tif 000010
【図１３】
2010177028.tif 000011
【図１４】
2010177028.tif 000012
【図１６】
2010177028.tif 000013
【図１７】
2010177028.tif 000014
【図１８】
2010177028.tif 000015
【図１９】
2010177028.tif 000016
【図２０】
2010177028.tif 000017
【図２２】
2010177028.tif 000018
【図２３】
2010177028.tif 000019
【図２４】
2010177028.tif 000020
【図１】
2010177028.tif 000021
【図２】
2010177028.tif 000022
【図４】
2010177028.tif 000023
【図８】
2010177028.tif 000024
【図１５】
2010177028.tif 000025
【図２１】
2010177028.tif 000026